(57)【要約】【課題】構造が簡単で、製造費が安く、また、ハンガーパイプの着脱も容易な衣装ケースを提供する。【課題を解決するための手段】衣装ケース１は、四側部２と開閉可能な天部３ａ，３ｂと閉塞された底部とからなり、天部３は、四側部２の一対の対向する側板２ａ，２ｃの上端に折り部５を介して連接した二枚の天板３からなり、底部は、四側部２の下端に折り部７を介して連接した四枚の底板からなり、四側部２の一対の対向する側板２ｂ，２ｄの上端にそれぞれ折り部５を介して連接した二枚のハンガーパイプ支持板８ａ，８ｂを、折り部１０ａ，１０ｂで内側に二つ折りしたうえさらに側板２ｂ，２ｄ内側に向けて折り部５，９ａ，９ｂで折り曲げて側板２ｂ，２ｄから離反する方向に反発する付勢力を有するようになし、各ハンガーパイプ支持板８ａ，８ｂには、前記付勢力を利用してハンガーパイプ１３の各端部を着脱可能に支持するハンガーパイプ支持部を設ける。【選択図】図１
2008254783.tif 000002
【特許請求の範囲】
【請求項１】
四側部と天部と底部とからなり、少なくとも天部が開閉可能に設けられた板紙製の衣装ケースであって、一対の対向する側部の内部上端にそれぞれ、前記側部から離反する方向に向かう付勢力を有するとともに、ハンガーパイプ支持部を有するハンガーパイプ支持部材を備え、これらハンガーパイプ支持部材の各ハンガーパイプ支持部にハンガーパイプの各端部を前記付勢力を利用して着脱可能に支持することを特徴とする衣装ケース。
【請求項２】
四側部と天部と底部とからなり、少なくとも天部が開閉可能に設けられた板紙製の衣装ケースであって、前記天部は、前記四側部の一対の対向する上端にそれぞれ、折り部を介して連接した二枚の開閉可能な天板からなり、前記底部は、前記四側部の下端に折り部を介して連接した底板からなり、前記四側部の残りの一対の対向する上端にそれぞれ、折り部を介して連接してなる二枚のハンガーパイプ支持板を、内側に二つ折りしたうえさらに前記折り部で側部内側に向けて折り曲げて対応する側部に当接し、この側部から離反する方向に反発する付勢力を有するようになし、各ハンガーパイプ支持板には、前記付勢力を利用してハンガーパイプの各端部を着脱可能に支持するハンガーパイプ支持部を設けたことを特徴とする衣装ケース。
【請求項３】
ハンガーパイプ支持部は、二つ折りしたハンガーパイプ支持板の側部とは反対側に設けた、ハンガーパイプの端部を挿通する挿通孔と、二つ折りしたハンガーパイプ支持板の側部側に設けた前記挿通したハンガーパイプの端部を前記側部とは反対方向へ反発する付勢力で係止する係止部とからなることを特徴とする請求項２記載の衣装ケース。
【発明の詳細な説明】
【技術分野】
【０００１】
本発明は、四側部と天部と底部とからなり、少なくとも天部が開閉可能に設けられ、内部にハンガーパイプを着脱可能に支持する、段ボールなどの板紙製の衣装ケースに関する。
【背景技術】
【０００２】
従来のこの種の衣装ケースでは、金具などの固定具を用いてケースの一対の対向する内側面にハンガーパイプの両端を固定したり、蓋体の折り曲げた縁部をハンガー片として、ここにハンガー孔を設ける一方、ハンガー片をケースの一対の対向する側面に設けた抜止め片で支持（特許文献１参照）している。
【特許文献１】特開平０９−２６７８７８号公報
【発明の開示】
【発明が解決しようとする課題】
【０００３】
ところが、上述の従来の衣装ケースでは、構造が複雑で、製造費が高いという問題があった。本発明は、この問題を解決した衣装ケースを提供することを目的とする。
【課題を解決するための手段】
【０００４】
この目的を達成するため、本発明の請求項１に係る衣装ケースは、四側部と天部と底部とからなり、少なくとも天部が開閉可能に設けられた板紙製の衣装ケースであって、一対の対向する側部の内部上端にそれぞれ、前記側部から離反する方向に向かう付勢力を有するとともに、ハンガーパイプ支持部を有するハンガーパイプ支持部材を備え、これらハンガーパイプ支持部材の各ハンガーパイプ支持部にハンガーパイプの各端部を前記付勢力を利用して着脱可能に支持するものである。
【０００５】
また、同じく上述の目的を達成するため、本発明の請求項２に係る衣装ケースは、四側部と天部と底部とからなり、少なくとも天部が開閉可能に設けられた板紙製の衣装ケースであって、前記天部は、前記四側部の一対の対向する上端にそれぞれ、折り部を介して連接した二枚の開閉可能な天板からなり、前記底部は、前記四側部の下端に折り部を介して連接した底板からなり、前記四側部の残りの一対の対向する上端にそれぞれ、折り部を介して連接してなる二枚のハンガーパイプ支持板を、内側に二つ折りしたうえさらに前記折り部で側部内側に向けて折り曲げて対応する側部に当接し、この側部から離反する方向に反発する付勢力を有するようになし、各ハンガーパイプ支持板には、前記付勢力を利用してハンガーパイプの各端部を着脱可能に支持するハンガーパイプ支持部を設けたものである。
【０００６】
さらに、同じく上述の目的を達成するため、本発明の請求項３に係る衣装ケースは、上記請求項２の構成において、ハンガーパイプ支持部は、二つ折りしたハンガーパイプ支持板の側部とは反対側に設けた、ハンガーパイプの端部を挿通する挿通孔と、二つ折りしたハンガーパイプ支持板の側部側に設けた前記挿通したハンガーパイプの端部を前記側部とは反対方向へ反発する付勢力で係止する係止部とからなることを特徴とするものである。
【発明の効果】
【０００７】
本発明の請求項１に係る衣装ケースによれば、構造が簡単で、製造費が安く、また、ハンガーパイプの着脱も容易である、という効果を奏する。
【０００８】
本発明の請求項２に係る衣装ケースによれば、上記効果に加えて、組み立ても容易である、という効果を奏する。
【０００９】
本発明の請求項３に係る衣装ケースによれば、上記請求項２発明の効果に加えて、ハンガーパイプの支持状態を確実に維持できるという効果を奏する。
【発明を実施するための最良の形態】
【００１０】
以下、本発明の好適な実施形態を添付図面に基づいて説明する。ここにおいて、図１は衣装ケースの天部を開放した状態を示す斜視図、図２はハンガーパイプ支持部によるハンガーパイプの支持状態を示す拡大断面図、図３は衣装を収納して天部を閉塞した状態を示す斜視図、図４は組み立て前状態の衣装ケース用板紙を示す平面図である。
【００１１】
衣装ケース１は、図４に示す一枚の段ボール製の衣装ケース用板紙２０を組み立ててなるもので、図１及び図３に示すように、四則部２と天部３と底部４（図４参照）とからなる。ここで、組み立て前の状態である衣装ケース用板紙２０を図４に基づいて説明すると、四則部２は、筋押しで形成した折り部１５ａ，１５ｂ，１５ｃを介して連接した前側板２ａ，左側板２ｂ，後側板２ｃ，右側板２ｄからなり、右側板２ｄの前記折り部１５ｃと反対側には前側板２ａと綴じ合わせるための綴じ代６を設けている。前記前側板２ａには、左側板２ｂ側の上端隅部から斜めに伸びる筋押しからなる折り部１６を設けている。また、左側板２ｂと右側板２ｄにはスリットと折り部とによって、手を挿入して把持するための把持部１７ａ，１７ｂを設けている。
【００１２】
同じく図４に示すように、前側板２ａと後側板２ｃの上端には、筋押しで形成した折り部５を介して、それぞれ天板３ａ，３ｂを連接している。同様に、左側板２ｂと右側板２ｄの上端には、折り部５を介してそれぞれハンガーパイプ支持板８ａ，８ｂ連接し、これらハンガーパイプ支持板８ａ，８ｂには、前記折り部５と平行に筋押しで各折り部９ａ，９ｂ及び１０ａ，１０ｂを設けている。また、ハンガー支持板８ａ，８ｂには、前記各折り部１０ａ，１０ｂについて線対称な位置に、ほぼ四角形状の係止孔１１ａ，１１ｂと、かまぼこ状の挿通孔１２ａ，１２ｂを設け、さらに、折り部５から前記挿通孔１２ａ，１２ｂに達するコ字状のスリットを設けている。
【００１３】
なお、衣装ケース１を組み立てた際に形成されるハンガーパイプ支持部は、後に詳述するが、ハンガーパイプ支持板８ａ，８ｂに設けた挿通孔１２ａ，１２ｂと係止孔１１ａ，１１ｂとの透孔の組み合わせからなる。また、ハンガーパイプ支持板８ａ，８ｂのコ字状のスリットで囲まれた部分が閉塞時の天板３ａ，３ｂを載置する載置部１４ａ，１４ｂとなる。さらに、ハンガーパイプ支持部に支持するハンガーパイプ１３は、本実施形態では円筒状であるが、角筒状や棒状でもよく、このハンガーパイプ１３の断面形状や大きさに応じて、前記挿通孔１２ａ，１２ｂと係止孔１１ａ，１１ｂの形状や大きさが決定される。しかしながら、前記各孔１１ａ，１１ｂ，１２ａ，１２ｂの形状は、前記ハンガーパイプ１３の断面形状にならう必要はないものである。
【００１４】
同じく図４に示すように、四側部２の下端には、筋押しで形成した折り部７を介して、各側板２ａ，２ｂ，２ｃ，２ｄにそれぞれ対応するよう底板４ａ，４ｂ，４ｃ，４ｄを四枚連接している。そして、これら各底板４ａ，４ｂ，４ｃ，４ｄと、各天板３ａ，３ｂと、各ハンガーパイプ支持板８ａ，８ｂは同一大に形成している。
【００１５】
続いて、図１〜図３に基づいて、衣装ケース用板紙２０から組み立てた衣装ケース１の構成を、組み立ての手順とともに説明する。まず、各折り部１５ａ，１５ｂ，１５ｃ，１５ｄを折り曲げて、前側板２ａと後側板２ｃが対向し、左側板２ｂと右側板２ｄとが対向する四角筒状となし、綴じ代６を前記前側板２ａの端縁内側に対接して、折り部１６下端よりも下の部分で、前記綴じ代６と前記前側板２ａの端縁をステープラーなどで綴じ合わせる。
【００１６】
衣装ケース１の底部４は、図示していないが、四枚の底板４ａ、４ｂ、４ｃ、４ｄを順次、四側部２とほぼ直角に内側に折り曲げて、開放底面を閉塞状態として形成し、粘着テープなどでこの閉塞状態を維持する。
【００１７】
一方、図１及び図２に示すように、各ハンガーパイプ支持板８ａ，８ｂは、折り部１０ａ，１０ｂで内側に二つ折りしたうえ、さらに折り部９ａ，９ｂ及び折り部５で側板２ｂ，２ｄの内側に向けて順次折り曲げ、各先端を対応する側板２ｂ，２ｄに当接して、側板２ｂ，２ｄから離反する方向に反発する付勢力を有するようにする。この時載置部１４ａ，１４ｂは、左側板２ｂ及び右側板２ｄに対して、直角に位置した状態にある。このようにして、ハンガーパイプ支持部が、二つ折りしたハンガーパイプ支持板８ａ，８ｂの側板２ｂ，２ｄとは反対側に設けたハンガーパイプ１３の端部を挿通する挿通孔１２ａ，１２ｂと、二つ折りしたハンガーパイプ支持板８ａ，８ｂの側板２ｂ，２ｄ側に設けた挿通したハンガーパイプ１３の端部を側板２ｂ，２ｄとは反対方向への反発する付勢力で係止する係止孔１１ａ，１１ｂとから構成される。
【００１８】
開閉蓋である天部３は、天板３ａ，３ｂを四側部２とほぼ直角に内側に折り曲げて、各両側端の先端部が載置部１４ａ，１４ｂ上に位置してなる。これら天板３ａ，３ｂは、載置部１４ａ，１４ｂに対して接離方向に変位し、開閉可能である。開放時には、図１に示すように、天板３ａとともに、前側板２ａの折り部１６から上の部分が外側に開かれ、十分な開放空間を形成する。また、閉塞時には、図３に示すように、各天板３ａ，３ｂの接合端部分を、粘着テープ１８などで固定的に接合し、閉塞状態を維持する。
【００１９】
以上のように構成した衣装ケース１は、図１に示す天板３ａ，３ｂの開放状態において、ハンガーパイプ１３の一端部を、二つ折りしたハンガーパイプ支持板８ａにおける左側板２ｂとは反対側に設けた挿通孔１２ａに挿通して、前記一端部の下面を左側板２ｂ側に設けた係止孔１１ａの下端縁に反発付勢力に抗して載置する一方、ハンガーパイプ１３の他端部を、二つ折りしたハンガーパイプ支持板８ｂの右側板２ｄとは反対側に設けた挿通孔１２ｂに挿通して、前記他端部の下面を右側板２ｄ側に設けた係止孔１１ｂの下端縁に反発付勢力に抗して載置する（図２参照）。これによって、ハンガーパイプ１３は、各端部がそれぞれ側板２ａ，２ｂとは反対方向へ作用する反発付勢力で、反発保持され、各ハンガーパイプ支持板８ａ，８ｂに確実に支持される（図１参照）。
【００２０】
図１状態において、図示していない衣装をかけたハンガーをハンガーパイプ１３にかけ、折り部１６から上の前側板２ａと天板３ａ、及び天板３ｂを所定の閉塞状態とし、天板３ａ，３ｂの接合端部分を、粘着テープ１８などで固定的に接合し、図３に示す閉塞状態として、衣装ケース１を搬送し、あるいは保管するものである。そして、前記天板３ａ，３ｂの接合端部分を固定的に接合している粘着テープ１８を剥がせば、天板３ａ，３ｂ及び前側板２ａの上部を図１に示す開放状態にし、図示していない衣装を掛けたハンガーを容易に取り出すことができる。
【００２１】
なお、本発明は上述の実施形態に限定されるものではなく、例えば、ハンガーパイプ支持部材は、ハンガー支持板８ａ，８ｂのような、折り曲げて反発付勢力を与えた板状部材に限らず、また、四則部２とは別体の部材で構成してもよい。また、ハンガーパイプ支持部も貫通孔１２ａ，１２ｂと係止孔１１ａ，１１ｂという透孔の組み合わせに限らない。さらに、折り部１６を設けなくてもよく、この場合は天部３のみが開放状態となる。さらにまた、各折り部９ａ．９ｂ，１０ａ，１０ｂを延長して天板３ａ，３ｂにも存在するよう設けてもよい。またさらに、天板３ａ，３ｂや底板４ａ，４ｂ，４ｃ，４ｄの枚数、形状などの構成も変更可能である。
【図面の簡単な説明】
【００２２】
【図１】衣装ケースの天部を開放した状態を示す斜視図。
【図２】ハンガーパイプ支持部によるハンガーパイプの支持状態を示す拡大断面図。
【図３】衣装を収納して天部を閉塞した状態を示す斜視図。
【図４】組み立て前状態の衣装ケース用板紙を示す平面図。
【符号の説明】
【００２３】
１      衣装ケース
２      四則部
２ａ      前側板
２ｂ      左側板
２ｃ      後側板
２ｄ      右側板
３      天部
３ａ，３ｂ      天板
４      底部
４ａ，４ｂ，４ｃ，４ｄ      底板
５，７，９ａ，９ｂ，１０ａ，１０ｂ，１５ａ，１５ｂ，１５ｃ，１６      折り部
６      綴じ代
８ａ，８ｂ      ハンガーパイプ支持板
１１ａ，１１ｂ      係止孔
１２ａ，１２ｂ      貫通孔
１３      ハンガーパイプ
１４ａ，１４ｂ      載置部
１７ａ，１７ｂ      把持部
１８      粘着テープ
【図１】
2008254783.tif 000003
【図２】
2008254783.tif 000004
【図３】
2008254783.tif 000005
【図４】
2008254783.tif 000006